【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
ファブリック手入れ用組成物であって、
（ａ）洗剤またはファブリック柔軟剤組成物、および
（ｂ）粉末もしくは水性分散液の形態のポリウレタン尿素、
を含有して成っていて、
前記ポリウレタン尿素がイソシアネート末端ポリウレタンプレポリマーと鎖延長剤の反応生成物を含んで成り、
前記プレポリマーがポリエーテルもしくはコポリエーテルグリコールポリマーとジイソシアネートと場合により酸性ジオールの反応生成物であり、かつ
前記ジイソシアネートがフェニレンジイソシアネート、トリレンジイソシアネート（ＴＤＩ）、キシリレンジイソシアネート、ビフェニレンジイソシアネート、ナフチレンジイソシアネート、ジフェニルメタンジイソシアネート（ＭＤＩ）およびこれらの組み合わせから成る群より選択される芳香族ジイソシアネートである、
組成物。
【請求項２】
前記洗剤またはファブリック柔軟剤が洗濯機における使用に適合し得る請求項１記載の組成物。
【請求項３】
前記洗剤またはファブリック柔軟剤が手洗いに適合し得る請求項１記載の組成物。
【請求項４】
前記洗剤またはファブリック柔軟剤が粉末、液体、固体錠剤、カプセル封じされた液体および不織シートから成る群より選択される形態である請求項１記載の組成物。
【請求項５】
前記鎖延長剤がジアミン系鎖延長剤、水およびこれらの組み合わせから成る群より選択される請求項１記載の組成物。
【請求項６】
前記ポリウレタン尿素が粉末の形態である請求項１記載の組成物。
【請求項７】
前記ポリウレタン尿素が水性分散液の形態である請求項１記載の組成物。
【請求項８】
前記水性分散液がアニオン性分散液および非イオン性分散液から成る群より選択される請求項７記載の組成物。
【請求項９】
前記酸性ジオールが２，２−ジメチロール酢酸、２，２−ジメチロールプロピオン酸、２，２−ジメチロールブタン酸、２，２−ジメチロールペンタン酸およびこれらの組み合わせから成る群より選択される請求項７記載の組成物。
【請求項１０】
前記ポリマーがポリ（テトラメチレンエーテル）グリコールであり、前記ジイソシアネートが４，４’−メチレンビス（フェニルイソシアネート）または４，４’−メチレンビス（フェニルイソシアネート）と２，４’−メチレンビス（フェニルイソシアネート）の混合物でありそして前記酸性グリコールが２，２−ジメチロールプロピオン酸であるか或は存在しない請求項７記載の組成物。
【請求項１１】
非イオン性の被膜形成性分散液を含有して成る組成物であって、前記分散液が水およびポリマーを含有して成っていて
前記ポリマーがプレポリマーと鎖延長剤としての水の反応生成物を含んで成り、そして
前記プレポリマーがグリコールもしくはグリコールの混合物と４，４’−メチレンビス（フェニルイソシアネート）の反応生成物で本質的に構成されている
組成物。
【請求項１２】
前記グリコールがポリ（テトラメチレン−コ−エチレンエーテル）グリコールおよびポリ（テトラメチレンエーテル）グリコールとエトキシル化ポリプロピレングリコールの混合物から成る群より選択される請求項１１記載の組成物。
【請求項１３】
更に界面活性剤、消泡剤、顔料、溶媒およびこれらの組み合わせから成る群より選択される添加剤も含有して成る請求項１１記載の組成物。
【請求項１４】
非イオン性の非被膜形成性分散液を含有して成る組成物であって、前記分散液が水およびポリマーを含有して成っていて
前記ポリマーがジアミン系鎖延長剤および水を含有して成る鎖延長剤とプレポリマーの反応生成物を含んで成り、そして
前記プレポリマーがグリコールと４，４’−メチレンビス（フェニルイソシアネート）の反応生成物で本質的に構成されている
組成物。
【請求項１５】
更に界面活性剤、消泡剤、顔料、溶媒およびこれらの組み合わせから成る群より選択される添加剤も含有して成る請求項１４記載の組成物。
【請求項１６】
非イオン性の非被膜形成性分散液を含有して成る組成物から生じさせたポリウレタン尿素粉末であって、
前記分散液が水およびポリマーを含有して成っていて
前記ポリマーがジアミン系鎖延長剤および水を含有して成る鎖延長剤とプレポリマーの反応生成物を含んで成り、そして
前記プレポリマーがグリコールと４，４’−メチレンビス（フェニルイソシアネート）の反応生成物で本質的に構成されている
ポリウレタン尿素粉末。
【請求項１７】
ファブリックへの香料固着を長引かせる方法であって、前記ファブリックを粉末もしくは水性分散液の形態のポリウレタン尿素と香料を含有して成る組成物と接触させることを含んで成る方法。
【請求項１８】
前記ファブリックに衣類が含まれる請求項１７記載の方法。
【請求項１９】
衣類の形状保持を向上させる方法であって、衣類を粉末もしくは水性分散液の形態のポリウレタン尿素と接触させることを含んで成っていて、
前記ポリウレタン尿素がイソシアネート末端ポリウレタンプレポリマーと鎖延長剤の反応生成物を含んで成り、
前記プレポリマーがポリエーテルもしくはコポリエーテルグリコールポリマーとジイソシアネートと場合により酸性ジオールの反応生成物であり、かつ
前記ジイソシアネートがフェニレンジイソシアネート、トリレンジイソシアネート（ＴＤＩ）、キシリレンジイソシアネート、ビフェニレンジイソシアネート、ナフチレンジイソシアネート、ジフェニルメタンジイソシアネート（ＭＤＩ）およびこれらの組み合わせから成る群より選択した芳香族ジイソシアネートである、
方法。
【請求項２０】
ファブリックの手入れ容易さ特性を向上させる方法であって、前記ファブリックを粉末もしくは水性分散液の形態のポリウレタン尿素と接触させることを含んで成っていて、
前記ポリウレタン尿素がイソシアネート末端ポリウレタンプレポリマーと鎖延長剤の反応生成物を含んで成り、
前記プレポリマーがポリエーテルもしくはコポリエーテルグリコールポリマーとジイソシアネートと場合により酸性ジオールの反応生成物であり、かつ
前記ジイソシアネートがフェニレンジイソシアネート、トリレンジイソシアネート（ＴＤＩ）、キシリレンジイソシアネート、ビフェニレンジイソシアネート、ナフチレンジイソシアネート、ジフェニルメタンジイソシアネート（ＭＤＩ）およびこれらの組み合わせから成る群より選択した芳香族ジイソシアネートである、
方法。
【請求項２１】
前記ファブリックに衣類が含まれる請求項２０記載の方法。
【請求項２２】
ファブリックに防汚特性を与える方法であって、前記ファブリックを粉末もしくは水性分散液の形態のポリウレタン尿素と接触させることを含んで成っていて、
前記ポリウレタン尿素がイソシアネート末端ポリウレタンプレポリマーと鎖延長剤の反応生成物を含んで成り、
前記プレポリマーがポリエーテルもしくはコポリエーテルグリコールポリマーとジイソシアネートと場合により酸性ジオールの反応生成物であり、かつ
前記ジイソシアネートがフェニレンジイソシアネート、トリレンジイソシアネート（ＴＤＩ）、キシリレンジイソシアネート、ビフェニレンジイソシアネート、ナフチレンジイソシアネート、ジフェニルメタンジイソシアネート（ＭＤＩ）およびこれらの組み合わせから成る群より選択した芳香族ジイソシアネートである、
方法。
【請求項２３】
前記ファブリックに衣類が含まれる請求項２２記載の方法。